(57)【特許請求の範囲】
【請求項１】
基低部に配置され画像処理及びカウンセリング処理を行うコンピュータと、
前記コンピュータに立設され前記コンピュータで処理した画像を被験者に対し表示する第１の画像表示手段と、
前記第１の画像表示手段に対し表示面が逆方向を向けて前記コンピュータに立設され前記コンピュータで処理した画像をカウンセラーに対し表示する第２の画像表示手段と、
被写体の撮影を行うデジタルカメラと、前記被写体を照明するストロボと、前記被写体までの距離を測定する距離センサとを有し、収納状態では前記コンピュータと前記第１，第２の画像表示手段とで囲まれる空間に収納され、撮影状態では前記空間から移動して前記第１の画像表示手段の近傍に配置され前記第１の画像表示手段の表示面方向に向けて被写体の撮影を行い前記被験者の顔画像を前記コンピュータに取り込む撮影手段とを
有することを特徴とするメーキャップカウンセリング装置。
【請求項２】
請求項１記載のメーキャップカウンセリング装置において、
前記第１の画像表示手段は、表示部に透明タッチパネルを
有することを特徴とするメーキャップカウンセリング装置。
【請求項３】
請求項１記載のメーキャップカウンセリング装置において、
前記第２の画像表示手段は、表示部に透明タッチパネルを
有することを特徴とするメーキャップカウンセリング装置。
【発明の詳細な説明】
【０００１】
【発明の属する技術分野】
本発明はメーキャップカウンセリング装置に関し、被験者の顔画像を取り込んで被験者のメーキャップをカウンセリングするために用いるメーキャップカウンセリング装置に関する。
【０００２】
【従来の技術】
メーキャップのカウンセリングを行う場合、その人の肌の色に合わせて口紅やその他の化粧料の色を選択するため、肌の色を正確に認識する必要がある。
【０００３】
本出願人は、特願平１０−１７４７３３号等により人の顔の肌の色を測定し分類したり、顔画像を取り込んでメーキャップのカウンセリングを行うシステムを提案している。このシステムは、測定ユニット内にストロボ及びデジタルカメラと、分光測定用のハロゲン照明器及び分光器を設け、この測定ユニットを被験者の座る椅子と所定距離だけ離間して設置する。測定ユニットの前面にはハーフミラーが全面に設けられ、ハーフミラーに記入されている撮影中心を示す基準線に顔の中心にくるよう被験者の姿勢を調整して、ハロゲン照明を被験者の顔に照射し、その反射光を分光器で分析することにより被験者の肌色を測定し、また、デジタルカメラで撮影した被験者の顔画像の肌色補正を行うと共に、その他の処理を行っている。
【０００４】
【発明が解決しようとする課題】
従来の装置の測定ユニットは、前面にハーフミラーを有し、ストロボ及びデジタルカメラ、ハロゲン照明器及び分光器を収納した大掛かりなものである。また、装置の規模が大きく、かつ、高価なものになるという問題があった。
【０００５】
本発明は、上記の点に鑑みなされたもので、装置の規模が小さく簡易な構成であり、カウンセラーが被験者のメーキャップのカウンセリングを行うのに適したメーキャップカウンセリング装置を提供することを目的とする。
【０００６】
【課題を解決するための手段】
請求項１に記載の発明は、基低部に配置され画像処理及びカウンセリング処理を行うコンピュータと、
前記コンピュータに立設され前記コンピュータで処理した画像を被験者に対し表示する第１の画像表示手段と、
前記第１の画像表示手段に対し表示面が逆方向を向けて前記コンピュータに立設され前記コンピュータで処理した画像をカウンセラーに対し表示する第２の画像表示手段と、
被写体の撮影を行うデジタルカメラと、前記被写体を照明するストロボと、前記被写体までの距離を測定する距離センサとを有し、収納状態では前記コンピュータと前記第１，第２の画像表示手段とで囲まれる空間に収納され、撮影状態では前記空間から移動して前記第１の画像表示手段の近傍に配置され前記第１の画像表示手段の表示面方向に向けて被写体の撮影を行い前記被験者の顔画像を前記コンピュータに取り込む撮影手段とを有する。
【０００７】
このように、コンピュータに第１，第２の画像表示手段を立設し、その近傍に撮影手段を配置しているため、装置の規模が小さく簡易な構成とすることができる。また、コンピュータと第１，第２の画像表示手段とで囲まれる空間を撮影手段の収納スペースとしているため、装置を更にコンパクトにすることができる。また、撮影手段にデジタルカメラと、ストロボと、距離センサとを有することにより、被写体までの距離に基づいて撮影した被写体の画像の輝度補正を行うことができる。
【０００８】
請求項２に記載の発明は、請求項１記載のメーキャップカウンセリング装置において、
前記第１の画像表示手段は、表示部に透明タッチパネルを有する。
【００１０】
請求項３に記載の発明は、請求項１記載のメーキャップカウンセリング装置において、
前記第２の画像表示手段は、表示部に透明タッチパネルを有する。
【００１２】
【発明の実施の形態】
図１、図２、図３は本発明のメーキャップカウンセリング装置の一実施例の平面図、正面図、側面図を示す。図１〜図３において、メーキャップカウンセリング装置は、撮影ユニット１０と、パーソナルコンピュータ２０と、被験者用のタッチパネル付き液晶モニタ３０と、カウンセラー用のタッチパネル付き液晶モニタ４０とより構成されている。
【００１３】
パーソナルコンピュータ２０は装置の基低部に配置され、図３に示すようにパーソナルコンピュータ２０の平行な２辺に、液晶モニタ３０，４０がそれぞれの裏面３０Ｂ，４０Ｂを対向させ、かつ上端部を互いに接近させるよう傾斜した状態で立設固定されている。図１における左右両端近傍には、アクリル製で略台形状の側板部材５０，５２が立設されており、この側板部材５０，５２はパーソナルコンピュータ２０、液晶モニタ３０，４０それぞれに固定されて、撮影ユニット１０の収納スペースを形成している。
【００１４】
撮影ユニット１０は、アクリル製で断面Ｕ字状のフェース部材１１にデジタルカメラ１２、ストロボ１３、及び距離センサ１４それぞれを固定して構成されており、フェース部材１１にはデジタルカメラ１２のレンズ１２ａが突出する位置、ストロボ１３の光の照射位置、距離センサ１４の超音波（または電波）の入出力位置それぞれに貫通孔が設けられており、図２ではこれらの貫通孔を通してレンズ１２ａ，ストロボ１３，距離センサ１４が覗出している。
【００１５】
撮影ユニット１０は、図１に示す断面Ｕ字状のフェース部材１１の左右両端１１ａ，１１ｂを側板部材５０，５２にガイドされて、図３に示す矢印Ａ１，Ａ２方向に摺動自在とされており、図３に示す撮影状態ではフェース部材１１の図示しない係止部が側板部材５０，５２に係合している。また、レンズ１２ａをカメラ１２に引き込んで収納し上記係合を解除すると撮影ユニット１０は摺動可能となり、撮影ユニット１０を矢印Ａ２に摺動させて前記の収納スペースに収納することができる。
【００１６】
被験者用のタッチパネル付き液晶モニタ３０は、液晶表示部３１の全面に透明タッチパネル３２が重ねて貼られている。カウンセラー用のタッチパネル付き液晶モニタ４０も同様に液晶表示部４１の全面に透明タッチパネル４２が重ねて貼られている。なお、液晶モニタ３０，４０それぞれの液晶表示部３１，４１は表示面を互いに逆方向を向けている。
【００１７】
図４は本発明のメーキャップカウンセリング装置の一実施例のブロック図を示す。同図中、パーソナルコンピュータ２０内において、中央処理装置（ＣＰＵ）２１はバス２２を介し、ＲＡＭ２３、ＲＯＭ２４、ハードディスク装置（ＨＤＤ）２５、ＣＤ−Ｒ（コンパクト・ディスク・レコーダブル）装置２６にそれぞれと接続されている。また、Ｉ／Ｏインタフェース（Ｉ／Ｏ）を介して撮影ユニット１０のデジタルカメラ１２、ストロボ１３、距離センサ１４、及び液晶モニタ３０，４０の液晶表示部３１，４１、透明タッチパネル３２，４２が接続されている。なお、ＣＤ−Ｒの代わりに、フレキシブルディスクやＣＤ−ＲＷやＭＯ等の他の記憶媒体を用いるものであっても良い。
【００１８】
ＣＰＵ２１は、ＲＯＭ２４またはハードディスク装置２５に記憶されている各種処理プログラムを実行し、透明タッチパネル３２，４２からの入力に応じて処理を進める。また、処理の結果をＣＤ−ＲＷ装置２６に記憶すると共に、液晶表示部３１，４１それぞれに表示する。
【００１９】
図５に、本発明のメーキャップカウンセリング装置の使用形態を示す。同図中、メーキャップカウンセリング装置６０は机上に載置されている。被験者は背景スクリーン７０を背にして椅子８０に座り、メーキャップカウンセリング装置６０の撮影ユニット１０に正対する。この状態でデジタルカメラ１２により被験者の顔を撮影する。被験者はメーキャップカウンセリング装置６０を挟んでカウンセラーと対面する。
【００２０】
背景スクリーン７０にはデジタルカメラ１２に対向する位置に、図６に示す色校正板７５が設けられる。色校正板７５には、赤み肌色、標準肌色、黄み肌色、黒赤み肌色、黒み肌色、黒黄み肌色、赤、緑、青、白赤み肌色、白み肌色、白黄み肌色、黒、色番号Ｎ３．５、色番号Ｎ５、色番号Ｎ６．５、色番号Ｎ８、白それぞれのカラーサンプルが印刷されている。なお、色番号Ｎ３．５、色番号Ｎ５、色番号Ｎ６．５、色番号Ｎ８それぞれは、マンセル表色系の明度スケールにおけるＮ３．５、Ｎ５、Ｎ６．５、Ｎ８のグレーである。
【００２１】
図７は本発明装置が実行する処理の一実施例のメインフローチャートを示す。まず、顔画像を取り込むための前処理として、ステップＳ１０でストロボ１３を発光させ、背景スクリーン７０の色校正板７５をデジタルカメラ１２にて撮影する。そして、ステップＳ１２で色校正板画像内の標準肌色のカラーサンプルの色値（複数の画素の平均値）が、予めハードディスク装置２５に記憶されている、標準肌色の色値と略一致するようにデジタルカメラ１２のカラーバランスを調整し、更に色校正板画像内の赤み肌色、標準肌色、黄み肌色それぞれの色値（Ｌａｂ値）について、予めハードディスク装置２５に記憶されているそれぞれの色値との偏差を求めハードディスク装置２５に記憶する。
【００２２】
次に、ステップＳ１４に進んで、ストロボ１３を発光させ、背景スクリーン７０を背にして椅子８０に座った被験者の顔をデジタルカメラ１２にて撮影する。これとほぼ同時に、ステップＳ１６で被験者の顔までの距離を距離センサ１４にて測定する。次に、ステップＳ１８で測定した距離に基づき被験者の顔画像の輝度補正を行うと共に、先に求めた色値の偏差を用いて色補正を行う。
【００２３】
この後、ステップＳ２０の各種カウンセリング処理において、補正後の顔画像を用いて、顔全体の肌色分布を判定したり、顔立ちを判定したり、口紅やアイシャドウ，アイラインや頬紅やヘアースタイル等を変更するシミュレーションを行ったりして、被験者に対するメーキャップカウンセリングを行う。
【００２４】
その後ステップＳ２２で処理を継続するか否かを判別し、継続であればステップＳ１４に進んでステップＳ１４〜Ｓ２２を繰り返し、継続でなければこの処理を終了する。
【００２５】
このように、パーソナルコンピュータ２０に液晶モニタ３０，４０を立設し、その近傍に撮影ユニット１０を配置しているため、装置の規模が小さく簡易な構成とすることができる。また、パーソナルコンピュータ２０と液晶モニタ３０，４０とで囲まれる空間を撮影ユニット１０の収納スペースとしているため、装置を更にコンパクトにすることができ、特に、装置の持ち運び時の利便性が向上する。
【００２６】
また、タッチパネル付き液晶モニタ３０，４０を用いることにより、キーボード等の入力装置が不要となり、メーキャップカウンセリング装置の小型化を進めすことができる。
【００２７】
ところで、図５の使用形態に示すように、液晶モニタ３０，４０それぞれの液晶表示部３１，４１は互いに逆方向を向いているため、被験者は液晶表示部３１を見ながら、また、カウンセラーは液晶表示部４１を見ながら、カウンセラーは被験者と対面してカウンセリングを行うことができる。このとき、液晶表示部３１の表示内容と液晶表示部４１の表示内容とは同一であっても良いが、液晶表示部４１には液晶表示部３１の表示内容にカウンセリング用のコメントを追加しても良く、更には両表示内容を全く別物にしても良い。
【００２８】
なお、撮影ユニット１０が請求項記載の撮影手段に対応し、被験者用のタッチパネル付き液晶モニタ３０が第１の画像表示手段に対応し、カウンセラー用のタッチパネル付き液晶モニタ４０が第２の画像表示手段に対応する。
【００２９】
【発明の効果】
上述のように、本発明によれば、コンピュータに第１，第２の画像表示手段を立設し、その近傍に撮影手段を配置しているため、装置の規模が小さく簡易な構成とすることができる。
【００３０】
また、コンピュータと第１，第２の画像表示手段とで囲まれる空間を撮影手段の収納スペースとしているため、装置を更にコンパクトにすることができ、特に、装置の持ち運び時の利便性が向上する。
【００３１】
また、撮影手段にデジタルカメラと、ストロボと、距離センサとを有することにより、被写体までの距離に基づいて撮影した被写体の画像の輝度補正を行うことができ、精度の高い画像を得ることができる。
【図面の簡単な説明】
【図１】本発明のメーキャップカウンセリング装置の一実施例の平面図である。
【図２】本発明のメーキャップカウンセリング装置の一実施例の正面図である。
【図３】本発明のメーキャップカウンセリング装置の一実施例の側面図である。
【図４】本発明のメーキャップカウンセリング装置の一実施例のブロック図である。
【図５】本発明のメーキャップカウンセリング装置の使用形態を示す図である。
【図６】色校正板７５の一実施例を示す図である。
【図７】本発明装置が実行する処理の一実施例のメインフローチャートである。
【符号の説明】
１０  撮影ユニット
１１  フェース部材
１２  デジタルカメラ
１３  ストロボ
１４  距離センサ
２０  パーソナルコンピュータ
３０  被験者用のタッチパネル付き液晶モニタ
３１，４１  液晶表示部
３２，４２  透明タッチパネル
４０  カウンセラー用のタッチパネル付き液晶モニタ
５０，５２  側板部材
【図１】
0004063474.tif 000002
【図２】
0004063474.tif 000003
【図３】
0004063474.tif 000004
【図４】
0004063474.tif 000005
【図５】
0004063474.tif 000006
【図６】
0004063474.tif 000007
【図７】
0004063474.tif 000008